(57)【要約】【課題】接続部に開口部を設定する場合でも、支持部材の剛性を確保することが可能な指示計器を提供する。【解決手段】表示板６と指針７とで構成される指針式表示部ＰＤを露出すると共にその外郭を規定する第１の開口部８１を有する隠蔽部材８と、指針７の先端側領域を露出しその回転中心領域７ａ上を覆うように配置される表示部材１０と、この表示部材１０を支持する支持部材９とを備え、この支持部材９が表示部材１０を保持する保持部９１と、この保持部９１と隠蔽部材８との間を接続する接続部９２と、この接続部９２内に形成される第２の開口部９４とを有し、この第２の開口部９４を形成することによりその縁部となる接続部９２のうち、正面視左右方向に対向する第２の領域９８の幅寸法Ｗをその厚み寸法Ｔよりも小さく設定した。【選択図】図１
2006234617.tif 000002
【特許請求の範囲】
【請求項１】
指針と、
この指針を回転作動させる駆動装置と、
この指針の作動範囲に沿って配置される指標部を有する表示板と、
この表示板と前記指針とで構成される指針式表示部を露出すると共にその外郭を規定する第１の開口部を有する隠蔽部材と、
前記指針の先端側領域を露出しその回転中心領域上を覆うように配置される表示部材と、
この表示部材を支持する支持部材とを備え、
この支持部材が前記表示部材を保持する保持部と、この保持部と前記隠蔽部材との間を接続する接続部と、この接続部内に形成される第２の開口部とを有し、この第２の開口部を形成することによりその縁部となる前記接続部のうち、正面視左右方向に対向する各領域の幅寸法をその厚み寸法よりも小さく設定したことを特徴とする指示計器。
【請求項２】
前記保持部と前記第２の開口部との間に前記表示板に当接する当接部を設けたことを特徴とする請求項１記載の指示計器。
【請求項３】
前記接続部に前記指針との機械的干渉を抑制する逃部を設けたことを特徴とする請求項１記載の指示計器。
【請求項４】
前記支持部材が前記隠蔽部材の一部であることを特徴とする請求項１記載の指示計器。
【発明の詳細な説明】
【技術分野】
【０００１】
本発明は、例えば自動車、オートバイ、船舶をはじめとする移動体に搭載される指示計器に関し、特に指針の回転軌道内に各種情報を表示する表示部材を備えるタイプの指示計器に関する。
【背景技術】
【０００２】
この種の指示計器としては、例えば下記特許文献１に記載されているものが知られている。この指示計器は、指針の先端側を露出させ回転中心領域側を遮蔽するように、指針と表示板とで構成される指針式表示部の中央前面側に表示部材が配置されている。この表示部材は、液晶表示パネル等からなり、外縁形状が正面視円形となる支持部材に支持されている。この支持部材は、指針式表示部を露出すると共にその外郭を規定する開口部を有する隠蔽部材の一部によって形成され、表示部材が臨む窓部が形成されており、この窓部を通じて表示部材に表示される各種情報を視認できるように構成されている。
【特許文献１】特開２００３−２５４７９４号公報
【発明の開示】
【発明が解決しようとする課題】
【０００３】
ところで、上記特許文献１では、指針の動作範囲（振れ角）が約１８０度程度であるため、窓部と隠蔽部材とをつなぐ接続部はそれほど長くはないが、指針の動作範囲が広くなれるほど、接続部の長さ寸法が大きくなり、その分、デッドスペースが増加するという問題がある。このような問題に対処するために、窓部の形成範囲を隠蔽部材側に拡張し、その拡張した窓部に大型の表示部材を配置したり、あるいは接続部に別の窓部（開口部）を形成して、そこに別の表示部材を配置することが考えられるが、支持部材自体の剛性が低下するという問題がある。
【０００４】
本発明は、この点に鑑みてなされたもので、その主な目的は、接続部に開口部を設定する場合でも、支持部材の剛性を確保することが可能な指示計器を提供するものである。
【課題を解決するための手段】
【０００５】
本発明は、前記目的を達成するため、指針と、この指針を回転作動させる駆動装置と、この指針の作動範囲に沿って配置される指標部を有する表示板と、この表示板と前記指針とで構成される指針式表示部を露出すると共にその外郭を規定する第１の開口部を有する隠蔽部材と、前記指針の先端側領域を露出しその回転中心領域上を覆うように配置される表示部材と、この表示部材を支持する支持部材とを備え、この支持部材が前記表示部材を保持する保持部と、この保持部と前記隠蔽部材との間を接続する接続部と、この接続部内に形成される第２の開口部とを有し、この第２の開口部を形成することによりその縁部となる前記接続部のうち、正面視左右方向に対向する各領域の幅寸法をその厚み寸法よりも小さく設定したことを特徴とする。
【０００６】
また本発明は、前記保持部と前記第２の開口部との間に前記表示板に当接する当接部を設けたことを特徴とする。
【０００７】
また本発明は、前記接続部に前記指針との機械的干渉を抑制する逃部を設けたことを特徴とする。
【０００８】
また本発明は、前記支持部材が前記隠蔽部材の一部であることを特徴とする。
【発明の効果】
【０００９】
本発明によれば、初期の目的を達成でき、接続部に開口部を設定する場合でも、支持部材の剛性を確保することが可能な指示計器を提供するものである。
【発明を実施するための最良の形態】
【００１０】
図１〜図４は、本発明の第１の実施形態を示すもので、図１は本実施形態による指示計器の正面図、図２は図１のＡ−Ａ断面図、図３は支持部材の背面側を示す平面図、図４は図１のＢ−Ｂ断面図である。
【００１１】
本実施形態による指針式計器は、速度計からなるもので、図１及び図２に示すように、背面カバー１と、回路基板２と、この回路基板２の背後に本体部が配置され指針軸３が回路基板２を貫通して伸びる駆動装置４と、回路基板２の前方に配置される枠体５と、この枠体５の前方に配置される表示板６と、駆動装置４の指針軸３に連結され表示板６上を回転動作する指針７と、この指針７及び表示板６の前方側に配置されそれらの所要部を覆う遮蔽部材８と、この隠蔽部材８に連続形成される支持部材９と、この支持部材に指示される表示部材１０と、この表示部材１０に表示像を投影する発光表示素子１１と、隠蔽部材８の前方側を覆う透視カバー１２とを備えている。
【００１２】
背面カバー１は、合成樹脂からなり、回路基板２の背面側を覆うものである。
【００１３】
回路基板２は、周知の硬質回路基板からなり、その背面に駆動装置４が実装される他、前面には発光ダイオードからなる複数の光源Ｌ１〜Ｌ３が実装されている。なおこれら光源Ｌ１〜Ｌ３のうち、光源Ｌ１は表示板６の後述する指標部を照明し、光源Ｌ２は指針７を照明し、光源Ｌ３は表示板の一部に設けられたインジケータ表示部（後述）を照明するものである。
【００１４】
駆動装置４は、例えばステッピングモータからなり、計測量に応じて指針軸３に連結された指針７を回転させる。
【００１５】
枠体５は、例えば白色の合成樹脂からなり、フレーム体としての機能の他、表示板６と指針７とを照明する照明室の機能も有している。
【００１６】
表示板６は、遮光性の地部（例えば黒色）６１と光透過性の指標部６２（例えば白色）と、同じく光透過性のインジケータ表示部６３（例えば赤色）とを有し、これら地部６１と指標部６２とインジケータ表示部６３は、母材である透光性基材に設けられた印刷層でなる。
【００１７】
なお表示板６はその背面が枠体５に当接することで安定的に支持されている。
【００１８】
指標部６２は、数字部と目盛部とで構成され、例えば白色光を発する光源Ｌ１によって背後から白色に透過照明される。
【００１９】
インジケータ表示部６３は、この例では、サイドブレーキマークとＡＢＳ（アンチロックブレーキシステム）表示からなり、例えば赤色光を発する光源Ｌ３によって背後から赤色に透過照明されることにより、サイドブレーキの状態（作動状態にあること）並びにＡＢＳの状態（点検必要状態）を報知するものである。
【００２０】
指針７は、透光性材料よりなり、指針軸３に装着されると共にその周囲に広がる回転中心部７ａと、この回転中心部７ａから連続して、指針軸３とは直交する方向に延びる指示部７ｂとを備えており、指示部７ｂの背面には、例えば赤色の反射層（図示しない）が設けられている。
【００２１】
このように構成される指針７は、例えば赤色に発光する光源Ｌ２からの光を受けて発光する。
【００２２】
遮蔽部材８は、例えば黒色の遮光性合成樹脂材料からなり、指針７と、表示板６とで構成される指針式表示部ＰＤを露出し、その外郭（線）を規定する略円形の第１の開口部８１を有し、この第１の開口部８１を取り巻く周縁部は略円筒形で断面末広がり形状をなすように手前側（観察者側）に伸びている。
【００２３】
この遮蔽部材８には、第１の開口部８１を横切るように、図１中、第１の開口部８１の底部からその中央に向けて伸びる支持部材９が連続形成され、この支持部材９に表示部材１０が装着支持される他、表示部材１０に対向する図２中、上方箇所には、発光表示器１１を臨ませる第１の窓部８２が形成される。
【００２４】
支持部材９は、第１の開口部８１の略中央付近に位置し、表示部材１０を支持する保持部９１と、この保持部９１と隠蔽部材８との間を接続する接続部９２とを有し、保持部９１内には、表示部材１０に対応した第２の窓部９３が形成され、接続部９２内には、背後に位置するインジケータ表示部６３を露出させる第２の開口部９４が形成されており、この第２の開口部９４を形成することにより接続部９２は、第２の開口部９４の縁部となるものである。
【００２５】
保持部９１は、さらに表示部材１０を取り巻く第１の周壁部９５を有しており、この周壁部９５によって形成される凹部に表示部材１０を背後側から収容して第２の窓部９３に臨ませ、溶着や接着等の適宜手段により固定するようになっている。また第１の周壁部９５のうち、接続部９２に隣接する箇所には、表示板６に当接する当接部９５ａが形成されている。
【００２６】
接続部９２は前述のように、第２の開口部９４の縁部を形成するものであるが、第２の開口部９４を取り巻く第２の周壁部９６を構成しており、この第２の周壁部９６は、図１中、正面視にて上下方向に対向する第１の領域９７と、正面視にて左右方向に対向する第２の領域９８とを備え、第２の領域９８を構成する周壁部箇所は、図４に詳しく示すように、幅寸法Ｗが厚み寸法Ｔよりも小さく設定されている。なお本実施形態では、接続部９２は、当接部９５ａと同様、表示板６に接触しながら延びており、これにより支持部材９を補強している。
【００２７】
また第２の開口部９４の縁部となる第２の周壁部９６のうち、保持部９１との接続部９２箇所には、指針７が支持部材９に当接する等の機械的干渉を抑制する逃部９９が形成され（図３参照）、この場合、逃部９９は、第２の周壁部９６を指針７の最小振れ角位置及び最大振れ角位置に対応して切り欠いた切り欠き部からなり、指針７に対応する第２の周壁部９６箇所は、指針７の長手方向に沿った傾斜面を構成する。
【００２８】
表示部材１０は本実施形態では、ミラー部材からなり、発光表示器１１によって形成される表示像を観察者側に反射すると共に、指針７の回転中心部７ａ及び表示板６の中央部６ａを覆い、指針７の指示部７ｂの先端側を露出させるように支持部材９の保持部９１に保持されている。
【００２９】
発光表示器１１は、例えば有機電界発光素子、無機電界発光素子、液晶表示素子、蛍光表示管からなり、遮蔽部材８の第１の窓部８２に臨むように配置され、本実施形態の場合、例えば車両の走行距離と簡易型のナビゲーション表示を行うものである。
【００３０】
透視カバー１２は、暗色系のスモーク色調を有する合成樹脂からなり、基本的には発光する表示情報、すなわち、指針７及び指標部６２及びインジケータ表示部６３及び表示部材１０に投影される発光表示器１１の表示像だけが視認されるようになっている。
【００３１】
以上の通り、本実施形態では、指針７と、この指針７を回転作動させる駆動装置４と、この指針７の作動範囲に沿って配置される指標部６２を有する表示板６と、この表示板６と指針７とで構成される指針式表示部ＰＤを露出すると共にその外郭を規定する第１の開口部８１を有する隠蔽部材８と、指針７の先端側領域を露出しその回転中心領域７ａ上を覆うように配置される表示部材１０と、この表示部材１０を支持する支持部材９とを備え、この支持部材９が表示部材１０を保持する保持部９１と、この保持部９１と隠蔽部材８との間を接続する接続部９２と、この接続部９２内に形成される第２の開口部９４とを有し、この第２の開口部９４を形成することによりその縁部となる接続部９２のうち、正面視左右方向に対向する第２の領域９８の幅寸法Ｗをその厚み寸法Ｔよりも小さく設定したことにより、接続部９２に開口部（第２の開口部）９４を設定してインジケータ表示部６３を表示する表示領域として使用する場合でも、支持部材９の剛性を確保し、表示部材１０を安定的に保持することができる。
【００３２】
また本実施形態では、保持部９１と第２の開口部９４との間に表示板６に当接する当接部９５ａを設けたことにより、支持部材９の強度不足を補って、より一層、支持部材９の剛性を高めことができる。
【００３３】
また本実施形態では、接続部９２に指針７との機械的干渉を抑制する逃部９９を設けたことにより、指針７との機械的干渉を予防しながらも支持部材９の剛性を確保することができる。
【００３４】
また本実施形態では、支持部材９が隠蔽部材８の一部として連続形成されることにより部品数を削減し、コストダウンを達成することができる。
【００３５】
なお正面視左右方向に対向する各領域９８の幅寸法Ｗは、最も幅狭となる領域の寸法であればよい。
【００３６】
図５は、本発明の第２の実施形態を示す正面図であり、本実施形態では、第１の実施形態にて適用したミラー部材からなる表示部材１０に替えて、電子式表示パネルからなる表示部材１０を適用し、さらに支持部材９の第２の開口部９４から燃料計表示を行う指針式表示部ＰＤ２を露出させたものである。
【００３７】
すなわち、電子式表示パネルは、例えば液晶表示パネルからなるもので、図示しないが、背後に液晶表示パネルを照明するバックライト装置を備えている。
【００３８】
また指針式表示部ＰＤ２は、指針７００と、指標部６２０とを備えており、指針７００は、表示板６の背後に配置された図示しない他の駆動装置によって作動するようになっており、指標部６２０は、表示板６に印刷形成されている。
【００３９】
このように構成される本実施形態によっても前記第１の実施形態と同様の作用効果を得ることができる。
【００４０】
図６は、本発明の第３の実施形態を示す要部断面図で、本実施形態では、接続部９２の第２の領域９８が中空部９８ａを有している。
【００４１】
このように構成される本実施形態によっても前記第１の実施形態と同様の作用効果を得ることができる。
【００４２】
なお前記第１，第２の実施形態では、接続部９２の第２の開口部９４からその背後に配置されるインジケータ表示部６３や指針式表示部ＰＤが露出する例を示したが、第２の開口部９４に任意の表示部品を装着してもよい。
【図面の簡単な説明】
【００４３】
【図１】本実施形態による指示計器の正面図。
【図２】図１のＡ−Ａ断面図。
【図３】同実施形態において支持部材の背面側を示す平面図。
【図４】図１のＢ−Ｂ断面図。
【図５】本発明の第２の実施形態を示す正面図。
【図６】本発明の第３の実施形態を示す要部断面図。
【符号の説明】
【００４４】
１  背面カバー
２  回路基板
３  指針軸
４  駆動装置
５ 枠体
６  表示板
７，７００  指針
８  遮蔽部材
９  支持部材
１０  表示部材
１１  発光表示素子
１２  透視カバー
６１  地部
６２，６２０ 指標部
６３  インジケータ表示部
７ａ  回転中心部
７ｂ  指示部
８１  第１の開口部
８２  第１の窓部
９１  保持部
９２  接続部
９３  第２の窓部
９４  第２の開口部
９５  第１の周壁部
９５ａ  当接部
９６  第２の周壁部
９７  第１の領域
９８  第２の領域
９８ａ  中空部
９９  逃部
Ｌ１〜Ｌ３  光源
ＰＤ，ＰＤ２  指針式表示部
Ｔ  厚み寸法
Ｗ  幅寸法
【図１】
2006234617.tif 000003
【図２】
2006234617.tif 000004
【図３】
2006234617.tif 000005
【図４】
2006234617.tif 000006
【図５】
2006234617.tif 000007
【図６】
2006234617.tif 000008